(57)【要約】  ソースドライバ（２０）およびゲートドライバ（１２）を有する駆動回路を備えたアクティブマトリクスディスプレイモジュール（１０）。さらに、３個のサブピクセルから成るピクセルを有するディスプレイパネル（１１）を設ける。サブピクセルは行および列として配置し、各サブピクセルは行と列の交点に配置したサブピクセル選択トランジスタを有する。ゲートドライバ（１２）は、ディスプレイパネル（１１）のある行における全てのピクセルを選択および非選択にするために使用し、ソースドライバ（２０）はその時点で選択している行における全てのサブピクセルに必要な電圧レベルを供給するのに使用し、これら電圧レベルは各色に必要な強度に相当する。デマルチプレクサスイッチ（２１）ディスプレイパネル（１１）に統合して、ディスプレイパネル（１１）の行を逆多重化する。アクティブマトリクスディスプレイモジュール（１０）は、さらに、カラーシフトを補償する手段（１８）を有する。これら手段（１８）は意図しないカラーシフトを補償するため、サブピクセルを選択する選択オーダを行う。補償は２個のフレーム内で行う。
2009519492.tif 000002
【特許請求の範囲】
【請求項１】
アクティブマトリクスディスプレイモジュールにおいて、
・ソースドライバおよびゲートドライバを有する駆動回路と、
・行および列に配列した３個のサブピクセルから成るピクセルを有するディスプレイパネルであって、各サブピクセルは、行および列の交点にサブピクセル選択トランジスタを有するものとした該ディスプレイパネルと、
を備え、
・前記ゲートドライバは、前記ディスプレイパネルの行におけるすべてのピクセルを選択するまたは非選択にするのに使用するものとし、
・前記ソースドライバは、前記ディスプレイパネルのそのとき選択している行のすべてのサブピクセルに対して、各色に必要な強度に対応する所要電圧レベルを供給するのに使用するものとし、さらに、
・前記ディスプレイパネルの列を逆多重化するためにディスプレイパネルに統合したデマルチプレクサスイッチと、
・意図しないカラーシフトを補償するためにサブピクセルを選択する選択オーダを実行し、前記補償を２個のフレーム内で実行するカラーシフト補償手段と
を備えたことを特徴とするディスプレイモジュール。
【請求項２】
請求項１に記載のディスプレイモジュールにおいて、第１フレームでカラーシフト補償によってカラーシフトを部分的に補償し、第２フレームでカラーシフトを完全に補償することを特徴とするディスプレイディスプレイモジュール。
【請求項３】
請求項２に記載のディスプレイモジュールにおいて、ディスプレイパネルの劣化を避けるために、第３フレーム中に第１フレームのＤＣ値が各サブピクセルで０Ｖとなるように平均化し、第４フレーム中に第２フレームのＤＣ値が各サブピクセルで０Ｖとなるように平均化することを特徴とするディスプレイモジュール。
【請求項４】
請求項１もしくは２に記載のディスプレイモジュールにおいて、前記ソースドライバおよび／または前記ゲートドライバを、ディスプレイパネルを形成するディスプレイガラス内に統合したことを特徴とするディスプレイモジュール。
【請求項５】
請求項１もしくは２に記載のディスプレイモジュールであって、各ピクセルは、蓄積キャパシタおよびピクセルキャパシタを有することを特徴とするディスプレイモジュール。
【請求項６】
請求項４に記載のディスプレイモジュールにおいて、行におけるすべてのサブピクセルは、この行が前記ゲートドライバによって非選択にされた場合に隔離され、および各サブピクセルの電圧レベルが蓄積キャパシタおよびピクセルキャパシタによって維持されることを特徴とするディスプレイモジュール。
【請求項７】
請求項１〜６のうちいずれか一項に記載のディスプレイモジュールにおいて、前記ディスプレイモジュールを、低温ポリシリコンディスプレイモジュールまたは高温ポリシリコンディスプレイモジュールとしたことを特徴とするディスプレイモジュール。
【請求項８】
ソースドライバおよびゲートドライバを有する駆動回路、および逆多重化される列に配列した３個のサブピクセルから成るピクセルを有するディスプレイパネルを備え、前記各サブピクセルは、行および列の交点に配置し、１：３の多重化スキームを実行するデマルチプレクサ選択ラインに相当するサブピクセル選択トランジスタを有し、各ピクセルは、異なる多重化グループに属するものとしたアクティブマトリクスディスプレイモジュール内に実装したカラーシフト補償方法において、
第１フレーム中に、
(1)   ゲートドライバによって行を選択するステップと、
(2)   前記行の多重化グループの中央にある全てのサブピクセルに、対応するデマルチプレクサ選択ラインにそれぞれ信号パルスを与えることにより充電するステップと、
(3)   前記行の各多重化グループにおける隣接する２個のサブピクセルのうち一方を第１電圧極性に充電し、隣接する多重化グループの隣接するサブピクセルを同時に選択するステップと、
(4)   前記行の各多重化グループにおける隣接する２個のサブピクセルのうち他方を第１電圧極性とは逆の電圧極性に充電し、隣接する２個の多重化グループの隣接する２個のサブピクセルを同時に選択するステップと、
(5)   ステップ（１）〜（４）を、全てのディスプレイパネルを処理するまで全ての行について繰り返すステップと、
を備え、
第２フレーム中に、
(6)   ある行の各多重化グループにおける中央のサブピクセルに隣接する２個のサブピクセルの極性を反転し、各中央サブピクセルをステップ（２）と同一極性に充電するステップと、
(7)   ステップ（６）を、全てのディスプレイパネルを処理するまで全ての行について繰り返すステップと、
を有することを特徴とする方法。
【請求項９】
請求項８に記載の方法において、前記第１および第２フレームを各サブピクセルのＤＣ値を平均化して０Ｖにするため、反転した電極で繰り返すことを特徴とする方法。
【請求項１０】
ソースドライバおよびゲートドライバを有する駆動回路、および逆多重化される行に配列した３個のサブピクセルから成るピクセルを有するディスプレイパネルを備え、前記各サブピクセルは、行および列の交点に配置し、１：６の多重化スキームを実行するデマルチプレクサ選択ラインに相当するサブピクセル選択トランジスタを有し、多重化スキームにより前記ディスプレイパネルを異なる多重化グループに分割し、各多重化グループは、２個の隣接するピクセルを備えたアクティブディスプレイモジュール内に実装したカラーシフト補償方法において、
第１フレーム中に、
(1)   ゲートドライバによって行を選択するステップと、
(2)   各多重化グループにおける３個のサブピクセルを順次に充電するステップであって、各第２サブピクセルが選択されて充電する該ステップと、
(3)   ステップ（２）で充電したサブピクセルが、左右に反対極性を有するサブピクセルで挟まれるように、まだ選択されていない各多重化グループのサブピクセル順次に充電するステップと、
(4)   ステップ（１）〜（３）を、全てのディスプレイパネルを処理するまで全ての行について繰り返すステップと、
を備え、
第２フレーム中に、
(5)   前記第２フレームにおける各多重化グループのステップ（２）と同一の３個のサブピクセルをステップ（２）と同様に充電するステップと、
(6)   ステップ（１）から（３）とは反対極性に残りのサブピクセルを充電するステップと、
(7)   ステップ（５）および（６）を、ディスプレイパネル全体を処理するまで全ての行について繰り返すステップと、
を有する方法。
【請求項１１】
請求項１０に記載の方法において、第３フレーム中に、第１フレームのＤＣ値が各サブピクセルで０Ｖに平均化することを特徴とする方法。
【請求項１２】
請求項１１に記載の方法において、第４フレーム中に、第２フレームのＤＣ値が各サブピクセルで０Ｖに平均化することを特徴とする方法。
【発明の詳細な説明】
【技術分野】
【０００１】
本発明は、アクティブマトリックスディスプレイモジュールおよびアクティブマトリックスディスプレイモジュールに実装されたカラーシフト補償方法に関する。
【背景技術】
【０００２】
アクティブマトリクスＬＣＤ（ＡＭＬＣＤ）用の駆動回路は、２個の部分、すなわちソースドライバおよびゲートドライバに分けることができる。ゲートドライバは、特定の行の全てのピクセルを選択するまたは非選択にするためにオンガラストランジスタのゲートを制御する。各ピクセルは、３個のサブピクセル（赤、緑、青）から成り、各サブピクセルは、固有の蓄積キャパシタを有する。ソースドライバは、電流によって選択した行のすべてのサブピクセルに、各色に必要な強度に対応する電圧レベルを供給する。最終的な色は、人間の目における３原色（赤、緑、青）の組み合わせを１個の色に混ぜ合わせる能力に基づいて得られる。
【０００３】
ゲートドライバによって先に選択した行が非選択にされるとき、この行の全てのサブピクセルは隔離され、各サブピクセルの電圧レベルは、蓄積キャパシタおよびピクセルキャパシタによって維持される。すべてのディスプレイ行が正確に１回選択される期間を、一般的に‘フレーム’と呼ばれる。
【０００４】
図１は、アクティブマトリックスＬＴＰＳ（低温ポリシリコン）ディスプレイモジュール１０の例の略図である。このＬＴＰＳディスプレイモジュール１０においては、ゲートドライバ回路１２をディスプレイガラス１１に直接取り付ける。このことはゲートドライバ１２が一般的にディスプレイガラス１１に簡単に実装することのできる回路のみから構成されているため、可能となる。理論的には、ゲートドライバは、別個のチップによって取り付けることもできる。ソースドライバは、オンガラスまたは別個のチップに統合することができる。図１には、デマルチプレクサ１３をディスプレイガラス１１に統合した実施形態を示す。マルチプレクサ１４、ソース出力ドライバ１５、ラッチ１６、バッファ１７および制御回路１８を個別のソースドライバチップ２０内に実現する。ディスプレイパネルは、この場合、Ｎ列およびＭ行を有する。多重化率が１：３の場合、ディスプレイパネル１１を有するソースドライバチップ２０に接続するのに、Ｎ／３のソースドライバライン１９のみ必要となる。ＬＴＰＳ技術によってディスプレイガラスにデマルチプレクサを統合することが可能となり、必要となるソースドライバライン１９の数を劇的に減らすことができる。ＬＴＰＳは例としてのみ示している。後述する本発明はＬＴＰＳに限定されるものではない。
【０００５】
ソースドライバ回路をチップ上に統合する場合、該オンガラスデマルチプレクシング（逆多重化）方法により、特定サイズのディスプレイを駆動するのに必要なソース出力パッドの量が減る。もしくは、換言すると、単一のチップにより駆動することのできるディスプレイサイズを増大させることができる。マルチプレクシングの場合、例えば多重化率１：３の場合は１つの多重化グループ当たり３つのサブピクセル、もしくは多重化率１：６の場合は１つの多重化グループ当たり６つのサブピクセルといったようにソースラインをグループ化する。ある行が選択された場合、その行にあるサブピクセルは全く同時には充電されないが、１つのグループのソースラインは順次に充電される。例えば多重化率１：３の場合、第１の全ての赤サブピクセルが選択され、次に全ての緑サブピクセルが選択され、最後に全ての青サブピクセルが選択される。この後、この行は非選択にされ、次の行が選択され再び赤サブピクセルが充電されるといったようになる。この場合を図２に示した。この図では２個の行ＲＮ＋1およびＲＮ、および３個の列ｎ−１、ｎ、ｎ＋１を示す。各ピクセルは、上述のように３個のサブピクセルを有している。図２において、列ｎ−１のサブピクセルは、（赤）Ｒｎ−１、（緑）Ｇｎ−１、（青）Ｂｎ−１として示す。ソースドライバライン１９はＳｎ−１，Ｓｎ，Ｓｎ＋１として示す。デマルチプレクサ１３のスイッチには参照符号２１を、デマルチプレクサ選択ラインには参照符号２２を付けて示す。Ｃｐは２個の隣接するソースライン間にある寄生コンデンサであり、Ｃｐｉｘはピクセルコンデンサである。さらに、各サブピクセルは、各行および列の交点にサブピクセル選択トランジスタを有する。このようなサブピクセル選択トランジスタに参照符号２３を付けて示す。
【０００６】
デマルチプレクシング方法の問題点は、いわゆるカラーシフトである。行を選択した場合、この行用の全てのオンガラスサブピクセル選択トランジスタに通電する。図３に示すように、あるサブピクセルを充電することは、２個のライン（主に隣接するライン）間の寄生コンデンサＣｐを経て、隣接するピクセル（前に充電してあるピクセル）に影響する。デマルチプレクサ選択信号を、デマルチプレクサ選択ライン２２のすぐ左側に示す。図３においてカラーシフトは、εＢおよびεＧとして示す。従って、ある行における前回直前に充電したサブピクセルのみが、その行を非選択にしたとき、正しい電圧レベルを有する（図３の場合においては青サブピクセル）。
【０００７】
カラーシフト効果を補償するための先端技術は、フレームからフレームへとピクセルオーダ選択を回転させることである。この方法によれば、最後に充電した特定の行のピクセル（正しい色となるピクセル）が、各異なるフレームに存在する。最後に選択したサブピクセルの色は正しくなり、各サブピクセルにおけるエラーは、多重化率１：３の場合３つのフレーム間で部分的に平均化される（多重化率１：６の場合は６つのフレーム）。フレーム周波数および多重化係数によって、エラーを平均化するのに必要となるフレーム量は長くなりすぎることがあり、ディスプレイにおいてフリッカーとして受け取られることがある。特に高い多重化率にいては、フリッカーを避けるために高いフレーム周波数を適用しなければならない。
【０００８】
この方法の欠点は、カラーシフトが緩慢に（数フレームにわたって）しか補償されないことであり、特定の逸脱が常に残ることである。
【発明の開示】
【発明が解決しようとする課題】
【０００９】
本発明の目的は、より良くかつ高速な色補償スキームを提供することである。
【課題を解決するための手段】
【００１０】
この目的および他の目的は、請求項１に記載の装置、および請求項８および１０に記載の方法により達成される。さらに好適な実施形態を従属項に記載する。
【００１１】
本発明によると、カラーシフトは、サブピクセル用のスマート選択オーダを用いることで補償することができる。本発明によると、補償は２個のフレーム内で行うことができる。カラーシフトは、第１フレームにおいて部分的に補償され、第２フレームにおいて完全に補償される。
【００１２】
本発明によれば、ソースドライバおよびゲートドライバを有する駆動回路を備えるアクティブマトリクスモジュールを提供する。さらに、３個のサブピクセルからなるピクセルを有するディスプレイパネルを設ける。サブピクセルは、行および列に配列し、各サブピクセルは行および列の交点に配置したサブピクセル選択トランジスタを備えている。ゲートドライバは、ディスプレイパネルのある行の全てのピクセルを選択するおよび非選択にするために使用し、ソースドライバは、その時点で選択している行の全てのサブピクセルに必要な電圧レベルを供給するのに使用し、この電圧レベルは各色に必要な強度に対応する。デマルチプレクサスイッチは、ディスプレイパネルの行を逆多重化するためにディスプレイパネルに統合する。アクティブマトリクスディスプレイモジュールはさらに、カラーシフトを補償する手段を備えている。これら手段は不要なカラーシフトを補償するために、サブピクセルを選択するための選択オーダを実装している。補償は２個のフレーム間で行う。
他の有利な実施形態を以下に説明する。
【発明を実施するための最良の形態】
【００１３】
本発明によると、カラーシフトは、サブピクセルを選択する際に使用するスマート選択オーダによって補償することができる。
【００１４】
第１フレームにおいて、カラーシフトを部分的に補償し、第２フレームにおいて完全に補償する。この方法によると、フリッカー（従来技術による方法においては存在した）を回避できる。
【００１５】
本明細書で提案する本発明の選択オーダは、同時に電力消費を最小化するように選択する。
【００１６】
基本概念は、以下の物理特性に基づく。
1.  ある行を選択し、この行におけるサブピクセルｎが充電されたと仮定する。この行における隣接サブピクセルｎ＋１および隣接サブピクセルｎ−１を逆電圧極性で充電する場合（一方を正の電圧に、他方を負の電圧にする）、ピクセルｎにおけるカラーシフトは減衰する（部分的に補償される）。
2.  ある行を選択し、この行における互いに隣接する２個のサブピクセルを同時に選択すると仮定する。この場合、一方のサブピクセルを充電する電圧レベルは、他方のサブピクセルを充電する電圧レベルに影響を与えない。
3.  サブピクセル選択オーダの選択は、あるフレームにおけるカラーシフト絶対値が次のフレームのカラーシフト絶対値と同じであり極性が逆となるように選択することができる。このようにして、カラーシフトは２個のフレーム間で平均化される。
4.  ある行を選択し、この行からのサブピクセルｎが既に充電されたと仮定する。ここでサブピクセルｎに隣接していない次のサブピクセル（例えばサブピクセルｎ−２，ｎ−３，…またはサブピクセルｎ＋２，ｎ＋３，…）が充電している場合、サブピクセルｎにおけるカラーシフトは極めて小さくなると考えられる。
【００１７】
このスマートカラーシフト補償の２つの異なる実施形態を添付図面につき説明する。
【００１８】
２つの実施形態について説明する前に、線図的図面の基本的態様を説明する。
【００１９】
各図には、ディスプレイパネル１１の一部を示す。ディスプレイパネル１１は、３個のサブピクセル（Ｒｎ、Ｇｎ、Ｂｎ）から成るピクセルを有する。サブピクセルは、行ラインと称される行方向（水平方向）に配置する。各サブピクセルは、行と列の交点に配置したサブピクセル選択トランジスタ２３を有する。行におけるサブピクセル選択トランジスタ２３は、全て個別の、即ち異なるデータライン（垂直／列ライン）に接続する。ゲートドライバ１２を使用して、ディスプレイパネル１１の行における全てのピクセルを選択するおよび非選択にする。ソースドライバ２０は、ディスプレイパネル１１のその時点で選択した行におけるすべてのサブピクセルに対する必要とされる電圧レベルを供給し、これら電圧レベルは、各色に必要とされる色の強度に対応する。
【００２０】
多重化ディスプレイ実装を使用する場合、対応するデマルチプレクサスイッチをディスプレイパネル１１のデータラインを逆多重化するためにディスプレイパネル１１に統合してもよい。図４Ａにデマルチプレクサスイッチを２２．１として示す。
【００２１】
制御回路１８は、デマルチプレクサロジックまたはシーケンサを有するものとし、これにより本発明に関するデマルチプレクサスイッチ２１を制御するようにすることもできる。すなわち、制御回路１８が正しい信号を供給し、上述の特性を満足するようにデマルチプレクサスイッチ３２を切り替えるようにする。
【００２２】
本発明の第１実施形態は、１：３の多重化率で設計している。この特定の実施形態においては、上述の特性１、２および３を使用する。本発明によれば、本明細書に記載したもの以外の選択オーダを使用することも可能であることに留意されたい。
【００２３】
以下に、ある可能なソリューションについて説明し、この場合、ピクセルの充電を以下のステップに分割する。すなわち、
フレーム１（図４Ａ〜４Ｃ参照）：
１．  行ＲＮをゲートドライバ１２によって選択する。
２．  行ＲＮの多重化グループの中間にある全てのサブピクセル（Ｇｎ−１、Ｇｎ、Ｇｎ＋１）を充電する（図４Ａ参照）。これは、デマルチプレクサ選択ライン２２．１が短期間ロジック１となるように対応するデマルチプレクサ選択ライン２２．１にそれぞれ信号パルスｍｕｘｓｅｌ＜１＞を供給することによって行う。ソースドライバライン１９の右脇に記したように、サブピクセルＧｎ−１は正電圧に、サブピクセルＧｎは負電圧に、サブピクセルＧｎ＋１は正電圧に充電することに注意されたい。
３．  隣接するサブピクセルのうち一方（図示の実施例においてはサブピクセルＢｎ−１）は、一方の電圧極性（正と仮定する）で充電する。これは、すなわち、対応するデマルチプレクサ選択ライン２２．２のそれぞれの信号パルスｍｕｘｓｅｌ＜２＞は短時間でロジック１となるためである。特性２の利点を利用するためには、隣接する多重化グループにおける隣接するサブピクセル（図示の実施例においてはサブピクセルＲｎ）を同時に選択する（この方法によると２つのサブピクセル（Ｂｎ−１およびＲｎ）は互いに影響しない）（図４Ｂ参照、ＶＲはＶＢに影響されない）。
４．  つぎに、中央サブピクセル（図示の実施例においてはサブピクセルＧｎ−１）における他方の隣り合ったサブピクセル（図示の実施例においてはサブピクセルＲｎ−１）を、逆の電圧極性（負と仮定する）に充電する。これは、すなわち、対応するデマルチプレクサ選択ライン２２．０のそれぞれの信号パルスｍｕｘｓｅｌ＜０＞は短時間でロジック１となるためである。これは特性１の利点を利用する（このようにして、中央サブピクセル（図示の実施例においてはサブピクセルＧｎ−１）への影響が部分的に減衰する）。ステップ２のように、２個の互いに隣接する多重化グループ間における２個の隣接するサブピクセル（ＢｎおよびＲｎ＋１）を同時に選択する。このようにして、これら２個のサブピクセル（ＢｎおよびＲｎ＋１）は互いに影響しない。最終的に、行ＲＮの全てのピクセルを充電し、カラーシフトの影響を僅かに受けるサブピクセルは中央のサブピクセルのみとなる（図４Ｃ参照）。
５．  上述のステップを、ディスプレイ全体が処理されるまで、全ての行について繰り返す。
【００２４】
この方法によってフレーム１が完了する。
フレーム２（図５Ａ〜５Ｃ参照）：
６．  カラーシフトを補償するために、この第２フレームでは中央サブピクセル（Ｇｎ）に隣接する２個のサブピクセル（ＲｎおよびＢｎ）の極性を反転する。中央サブピクセル（Ｇｎ）はフレーム１と同じ極性で充填する。隣接ピクセルの選択オーダは、電流消費を抑えるために、前述のフレームとは異ならせる。すなわち、サブピクセルＲｎを選択する前にサブピクセルＢｎを選択する。ソースライン１９を反対の電圧極性に充電する必要はない（図５Ａ〜５Ｃ参照）。
【００２５】
図４Ｃおよび５Ｃは、カラーシフトεＢおよびεＲがフレーム１およびフレーム２にわたって平均化することによって補償されることを示している（上述の特性３参照）。
７．  全てのディスプレイを対象とするまで全ての行についてステップ６を繰り返す。
【００２６】
このようにしてフレーム２は完了し、カラーシフトは補償される。
フレーム３および４（図６Ａ〜６Ｃおよび図７Ａ〜７Ｃ参照）：
８．  ディスプレイパネル１１の液晶の劣化を防ぐために、各サブピクセルのＤＣ値は平均して０Ｖとする。各サブピクセルのＤＣレベルを消去するために、２個のフレーム１および２を反転した極性において繰り返さなくてはならない（図６Ａ〜６Ｃおよび図７Ａ〜７Ｃ参照）。
【００２７】
ステップ８（第３フレームおよび第４フレーム中に実行する）は任意であることに留意されたい。
【００２８】
本発明の第２の実施形態は、１：６の多重化率（ｍｕｘレート）用に設計する。この特性の実施形態においては、上述の特性１、３および４を使用する。本発明によれば、本明細書に記載したもの以外の選択オーダを使用することも可能であることに留意されたい。
【００２９】
以下に、ある可能なソリューションについて説明する。ここではピクセルの充電を、以下のステップに分割する：
フレーム１（図８Ａ〜８Ｆ参照）
１．  ゲートドライバ１２によって行ＲＮを選択する。
２．  各逆多重化グループの３個のサブピクセルを連続で選択する（それぞれ例えばサブピクセル５，３，１との順に選択する）。図８Ａにおいては、サブピクセル５を選択する。図８Ｂにおいてはサブピクセル３を、図８Ｃにおいてはサブピクセル１を選択する。選択オーダは以下のようにする、すなわちすべての第２サブピクセル（図８Ａから８Ｃ参照）を選択し、他のサブピクセルを後に選択する（以下のステップ３参照）。この方法では、特性４を使用する。多重化レート１：３の時のように、２個の逆多重化グループは常に逆ピクセル極性を有する。
３．  サブピクセル４，２，６を、順次に充電するが、各サブピクセル５，３，１が左右に逆極性を持ったサブピクセルを有するようにする(特性１を使用)（図８Ｄ〜８Ｆ参照）。
４．  上述のステップ１〜３を、全てのディスプレイを対象とするまで全ての行について繰り返す。
【００３０】
ここで第１フレームは完了する。ソーストラック間の寄生コンデンサ（Ｃｐ）を経て、図８Ｄ〜８Ｆに示したとおり、カラーシフト（それぞれε１〜ε５）がいくつかのサブピクセルに生じる。
フレーム２（図９Ａ〜９Ｆ参照）：
５．  次のフレームにおいて、サブピクセル５，３，１を第１フレームと同様に充電する（図９Ａ〜９Ｃ参照）。
６．  つぎに、残りのサブピクセルを前フレームとは逆極性に充電する（特性３を使用）。電流消費を最小化するために、選択オーダはそれぞれ：サブピクセル２，６，４とする（図９Ｄ〜９Ｆ参照）。これにより充電シーケンス中の極性反転の量が最小化される。ソーストラック間の寄生コンデンサ（Ｃｐ）を経て、カラーシフトε６〜ε９がいくつかのサブピクセルに生じる。しかしながら、これらシフトはピクセル充電シーケンスの終了時前に消滅し、表示画像には影響しない。いつかのサブピクセルに残ったカラーシフト（ε６〜ε５）は、フレーム１と平均化することによって消滅する（図８Ｆと図９Ｆを比較）。
７．  上述のステップ５および６を、ディスプレイ全体を処理するまで全ての行について繰り返す。
【００３１】
このようにしてフレーム２は完了し、カラーシフトは補償される。
フレーム３：
８．  フレーム３において、フレーム１のＤＣ値を、各サブピクセルにおいて０Ｖへと平均化する。これはフレーム１と同様のフレームを繰り返すことによって実現するが、各サブピクセルはフレーム１に対して反転した極性に充電する。
９．  フレーム４において、フレーム２のＤＣ値を、各サブピクセルにおいて０Ｖへと平均化する。これはフレーム２と同様のフレームを繰り返すことによって実現するが、各サブピクセルはフレーム２に対して反転した極性に充電する。
【００３２】
液晶の劣化を避けるために、各サブピクセルのＤＣ値を０Ｖに平均化することができる。これは４個の各フレームにおいて実行する。しかし、カラーシフトは各フレームにおいて部分的に補償され、２個のフレームにわたり完全に補償される、すなわちそれぞれフレーム１からフレーム２、およびフレーム３からフレーム４において完全に補償される。
【００３３】
したがってカラーシフトのためには２個のフレームで十分である。４個のフレームを有するスキームは液晶の劣化を避けたいときにのみ必要となる。
【００３４】
サブピクセルの選択に使用する選択オーダは、一般的に制御回路１８の内部に実装する。制御回路１８は、上で規定した１〜４の特性における２つ以上の特性を考慮して適切な選択信号を提供する。
【００３５】
上述のように、本発明は、ソースラインを多重化したＬＣＤドライバ内で使用することを想定している。本発明が最も適するのは、携帯電話やＰＤＡなどにおいて使用されているような小さいディスプレイである。
【００３６】
図面および明細書において好適な実施形態について説明し、特定の用語を用いたが、これらは一般的な意味および説明のためのものであり、本発明を限定するものではない。これに関連して、本発明はＬＴＰＳドライバのための開発中になされたものである。しかし、本発明は、明細書および特許請求の範囲に記載したように、他のアクティブマトリクス技術（高温ポリシリコンなどの）にも適用可能である。
【図面の簡単な説明】
【００３７】
【図１】一般的なアクティブマトリクスディスプレイモジュールの線図的説明図である。
【図２】従来のアクティブマトリクスディスプレイモジュールの一部を示す線図的説明図である。
【図３−Ｉ】従来のアクティブマトリクスディスプレイモジュールの一部および従来技術による選択スキームを示す線図的説明図である。
【図３−ＩＩ】従来のアクティブマトリクスディスプレイモジュールの一部および従来技術による選択スキームを示す線図的説明図である。
【図３−ＩＩＩ】従来のアクティブマトリクスディスプレイモジュールの一部および従来技術による選択スキームを示す線図的説明図である。
【図４Ａ】アクティブマトリクスディスプレイモジュールの一部および本発明による選択スキームの詳細、ならびに第１フレーム中で実行されるステップを示す線図的説明図である。
【図４Ｂ】アクティブマトリクスディスプレイモジュールの一部および本発明による選択スキームの詳細、ならびに第１フレーム中で実行されるステップを示す線図的説明図である。
【図４Ｃ】アクティブマトリクスディスプレイモジュールの一部および本発明による選択スキームの詳細、ならびに第１フレーム中で実行されるステップを示す線図的説明図である。
【図５Ａ】アクティブマトリクスディスプレイモジュールの一部および本発明による選択スキームの詳細、ならびに第２フレーム中で実行されるステップを示す線図的説明図である。
【図５Ｂ】アクティブマトリクスディスプレイモジュールの一部および本発明による選択スキームの詳細、ならびに第２フレーム中で実行されるステップを示す線図的説明図である。
【図５Ｃ】アクティブマトリクスディスプレイモジュールの一部および本発明による選択スキームの詳細、ならびに第２フレーム中で実行されるステップを示す線図的説明図である。
【図６Ａ】アクティブマトリクスディスプレイモジュールの一部および本発明による選択スキームの詳細、ならびに第３フレーム中で実行されるステップを示す線図的説明図である。
【図６Ｂ】アクティブマトリクスディスプレイモジュールの一部および本発明による選択スキームの詳細、ならびに第３フレーム中で実行されるステップを示す線図的説明図である。
【図６Ｃ】アクティブマトリクスディスプレイモジュールの一部および本発明による選択スキームの詳細、ならびに第３フレーム中で実行されるステップを示す線図的説明図である。
【図７Ａ】アクティブマトリクスディスプレイモジュールの一部および本発明による選択スキームの詳細、ならびに第４フレーム中で実行されるステップを示す線図的説明図である。
【図７Ｂ】アクティブマトリクスディスプレイモジュールの一部および本発明による選択スキームの詳細、ならびに第４フレーム中で実行されるステップを示す線図的説明図である。
【図７Ｃ】アクティブマトリクスディスプレイモジュールの一部および本発明による選択スキームの詳細、ならびに第４フレーム中で実行されるステップを示す線図的説明図である。
【図８Ａ】アクティブマトリクスディスプレイモジュールの一部および本発明による選択スキームの詳細、ならびに第１フレーム中で実行されるステップを示す線図的説明図である。
【図８Ｂ】アクティブマトリクスディスプレイモジュールの一部および本発明による選択スキームの詳細、ならびに第１フレーム中で実行されるステップを示す線図的説明図である。
【図８Ｃ】アクティブマトリクスディスプレイモジュールの一部および本発明による選択スキームの詳細、ならびに第１フレーム中で実行されるステップを示す線図的説明図である。
【図８Ｄ】アクティブマトリクスディスプレイモジュールの一部および本発明による選択スキームの詳細、ならびに第１フレーム中で実行されるステップを示す線図的説明図である。
【図８Ｅ】アクティブマトリクスディスプレイモジュールの一部および本発明による選択スキームの詳細、ならびに第１フレーム中で実行されるステップを示す線図的説明図である。
【図８Ｆ】アクティブマトリクスディスプレイモジュールの一部および本発明による選択スキームの詳細、ならびに第１フレーム中で実行されるステップを示す線図的説明図である。
【図９Ａ】アクティブマトリクスディスプレイモジュールの一部および本発明による選択スキームの詳細、ならびに第２フレーム中で実行されるステップを示す線図的説明図である。
【図９Ｂ】アクティブマトリクスディスプレイモジュールの一部および本発明による選択スキームの詳細、ならびに第２フレーム中で実行されるステップを示す線図的説明図である。
【図９Ｃ】アクティブマトリクスディスプレイモジュールの一部および本発明による選択スキームの詳細、ならびに第２フレーム中で実行されるステップを示す線図的説明図である。
【図９Ｄ】アクティブマトリクスディスプレイモジュールの一部および本発明による選択スキームの詳細、ならびに第２フレーム中で実行されるステップを示す線図的説明図である。
【図９Ｅ】アクティブマトリクスディスプレイモジュールの一部および本発明による選択スキームの詳細、ならびに第２フレーム中で実行されるステップを示す線図的説明図である。
【図９Ｆ】アクティブマトリクスディスプレイモジュールの一部および本発明による選択スキームの詳細、ならびに第２フレーム中で実行されるステップを示す線図的説明図である。
【図１】
2009519492.tif 000003
【図２】
2009519492.tif 000004
【図３−Ｉ】
2009519492.tif 000005
【図３−ＩＩ】
2009519492.tif 000006
【図３−ＩＩＩ】
2009519492.tif 000007
【図４Ａ】
2009519492.tif 000008
【図４Ｂ】
2009519492.tif 000009
【図４Ｃ】
2009519492.tif 000010
【図５Ａ】
2009519492.tif 000011
【図５Ｂ】
2009519492.tif 000012
【図５Ｃ】
2009519492.tif 000013
【図６Ａ】
2009519492.tif 000014
【図６Ｂ】
2009519492.tif 000015
【図６Ｃ】
2009519492.tif 000016
【図７Ａ】
2009519492.tif 000017
【図７Ｂ】
2009519492.tif 000018
【図７Ｃ】
2009519492.tif 000019
【図８Ａ】
2009519492.tif 000020
【図８Ｂ】
2009519492.tif 000021
【図８Ｃ】
2009519492.tif 000022
【図８Ｄ】
2009519492.tif 000023
【図８Ｅ】
2009519492.tif 000024
【図８Ｆ】
2009519492.tif 000025
【図９Ａ】
2009519492.tif 000026
【図９Ｂ】
2009519492.tif 000027
【図９Ｃ】
2009519492.tif 000028
【図９Ｄ】
2009519492.tif 000029
【図９Ｅ】
2009519492.tif 000030
【図９Ｆ】
2009519492.tif 000031
【国際調査報告】
2009519492.tif 000032
2009519492.tif 000033
2009519492.tif 000034